(57)【要約】【課題】上フードの後下端に下フードを引掛ける場合、下フードを上フードに取り付ける際に下フードのネジと上フードの固定穴の位置のズレを防止することができることを目的とする。【解決手段】上フード１の後方下端に曲げ部１０を設け、前記曲げ部１０の後方に接し、前記上フード１の背面内壁１１との間に下フード２に設けた勘合部１２が引っ掛る空間１３を確保できるよう突起部１４を設けたという構成にしたことにより、下フード２の勘合部１２を上フード１の背面内壁１１と突起部１４との間に挿入させるので、下フード２を上フード１に取り付ける際に下フード２の固定用ねじ８と上フード１の固定穴９の位置のズレを防止することができるレンジフードを得られる。【選択図】図１
2013257131.tif 000002
【特許請求の範囲】
【請求項１】
下フードに設けたねじと勘合する固定穴を設けた上フードと、前記上フードの下方を覆うように設けた前記下フードと、前記下フードに吸込口を形成し、前記上フードと前記下フードとの間の空間に排気用のファンとモータとを設け、前記上フードの後方下端に曲げ部を設け、前記曲げ部の後方に接し、前記上フードの背面内壁との間に下フードに設けた勘合部が引っ掛る空間を確保できるよう突起部を設けたことを特徴とするレンジフード。
【請求項２】
突起部は、下板と側板で構成したことを特徴とする請求項１に記載のレンジフード。
【請求項３】
側板は、曲げ部側が前記曲げ部とほぼ同じ高さで背面内壁へ向かって下板方向へ傾斜したことを特徴とする請求項２に記載のレンジフード。
【請求項４】
側板の背面内壁側を立ち上げた構成としたことを特徴とする請求項２または３に記載のレンジフード。
【発明の詳細な説明】
【技術分野】
【０００１】
本発明は、台所内で調理時に発生する油煙などを捕集して屋外に排気するレンジフードに関するものである。
【背景技術】
【０００２】
従来、この種のレンジフードは、下面を開口した逆椀状で側面等に吐出口を形成した上側フードと、上側フードの下面開口を覆う下側フードで構成されたものが知られている（例えば、特許文献１参照）。
【０００３】
以下、そのレンジフードについて図２を参照しながら説明する。
【０００４】
図２に示すように、下面を開口した逆椀状で側面等に吐出口１０１を形成した上側フード１０２と、この上側フード１０２内を電装部品の設けられる電装室１０３と送風機１０４の設けられる送風機室１０５とに仕切る仕切板１０６と、送風機室１０５に設けられる送風機１０４に連通する吸込口１０７を有し、上側フード１０２の下面開口を覆う下側フード１０８とで構成されている。
【０００５】
以上のように構成されたレンジフードの動作について説明する。
【０００６】
送風機１０４が回転することで、吸込口１０７で吸い込まれた台所内で調理時に発生する油煙などは、下側フード１０８で受けて、吸込口１０７、送風機１０４、送風機室１０５、を通して吐出口１０１に運ばれ屋外に排気される。
【先行技術文献】
【特許文献】
【０００７】
【特許文献１】特許第３３２９６９３号公報
【発明の概要】
【発明が解決しようとする課題】
【０００８】
このような従来のレンジフードにおいては、上フードの後方下端に下フードを引掛け、前側をネジで固定する場合、下フードを掃除等で外して取り付ける際に引掛け部のガタツキで下フードの前側のネジと上フードの固定穴の位置が合わなく、固定穴の位置を調整して下フードを固定する必要がある、という課題を有していた。
【０００９】
そこで本発明は、上記従来の課題を解決するものであり、上フードの後下端に下フードを引掛け、前側をネジで固定する場合、下フードを上フードに取り付ける際に下フードの前側のネジと上フードの固定穴の位置のズレを防止することができるレンジフードを提供することを目的とする。
【課題を解決するための手段】
【００１０】
そして、この目的を達成するために、本発明は、下フードに設けたねじと勘合する固定穴を設けた上フードと、前記上フードの下方を覆うように設けた前記下フードと、前記下フードに吸込口を形成し、前記上フードと前記下フードとの間の空間に排気用のファンとモータとを設け、前記上フードの後方下端に曲げ部を設け、前記曲げ部の後方に接し、前記上フードの背面内壁との間に下フードに設けた勘合部が引っ掛る空間を確保できるよう突起部を設けたこととしたものであり、これにより所期の目的を達成するものである。
【発明の効果】
【００１１】
本発明によれば、下フードに設けたねじと勘合する固定穴を設けた上フードと、前記上フードの下方を覆うように設けた前記下フードと、前記下フードに吸込口を形成し、前記上フードと前記下フードとの間の空間に排気用のファンとモータとを設け、前記上フードの後方下端に曲げ部を設け、前記曲げ部の後方に接し、前記上フードの背面内壁との間に下フードに設けた勘合部が引っ掛る空間を確保できるよう突起部を設けたという構成にしたことにより、下フードの勘合部を上フードの背面内壁と突起部との間に挿入させることとなるので、下フードを上フードに取り付ける際に下フードのネジと上フードの固定穴の位置のズレを防止することができる、という効果を得ることができる。
【図面の簡単な説明】
【００１２】
【図１】本発明の実施の形態１のレンジフードを示す図（（ａ）側構成図、（ｂ）上フードの後方下端曲げ部拡大図、（ｃ）突起部の詳細図）
【図２】従来のレンジフードを示す断面図
【発明を実施するための形態】
【００１３】
本発明の請求項１記載のレンジフードは、下フードに設けたねじと勘合する固定穴を設けた上フードと、前記上フードの下方を覆うように設けた前記下フードと、前記下フードに吸込口を形成し、前記上フードと前記下フードとの間の空間に排気用のファンとモータとを設け、前記上フードの後方下端に曲げ部を設け、前記曲げ部の後方に接し、前記上フードの背面内壁との間に下フードに設けた勘合部が引っ掛る空間を確保できるよう突起部を設けたという構成を有する。これにより、下フードの勘合部を上フードの背面内壁と突起部との間に挿入させることとなるので、下フードを上フードに取り付ける際に下フードのネジと上フードの固定穴の位置のズレを防止することができる、という効果を奏する。
【００１４】
以下、本発明の実施の形態について図面を参照しながら説明する。
【００１５】
（実施の形態１）
図１に示すように、本発明の実施の形態１のレンジフードは、薄型の逆椀状に形成された上フード１と、台所内で調理時等に発生した廃ガス、油煙、水蒸気、臭気等を受け止める上フード１の下方を覆うように設けた下フード２と、下フード２の中央近傍に受け止めた廃ガス等を吸い込むための吸込口３を備え、吸込口３の手前には油煙の油を捕集するフィルター４を着脱自在に形成する。
【００１６】
なお、フィルター４の代わりに怪我防止用のガードを用いることで、フィルターの圧損を低下して吸い込むための風量を増加させることもできる。
【００１７】
また、上フード１と下フード２との間の空間に、上フードに設けているモータ固定用金具１５に固定されているモータ６と、その下方にモータ６のシャフト１６と連結する排気用のファン５とを備え、上フード１の背面すなわち壁側の方向には吸込口３から吸い込まれた廃ガス等を排気するアダプター７で構成されている。
【００１８】
ファン５は、ターボファンで構成され、吸込口３とアダプター７を結ぶ排気経路１７を形成する。
【００１９】
また、下フード２と吸込口３とを、使用者に対して奥側より手前側に向かって上方に傾斜する形状とし、その傾斜に合わせてフィルター４やファン５、モータ６も傾斜した構成を有する。
【００２０】
なお、ファン５はターボファンとしたが、ケーシング付のシロッコファン等、他の形状のものでもよく、下フード２と吸込口３、フィルター４やファン５、モータ６は水平でも良い。
【００２１】
また、アダプター７は上フード１の背面だけでなく、側面や上面等の開口に取り付ける構成としてもよい。
【００２２】
また、上フード１の前方すなわち使用者側には下フード２に設けた固定用ねじ８と勘合する固定穴９を設け、上フード１の後方（壁側）下端に上方向かっての曲げ部１０を設け、曲げ部１０の後方に接するように、上フード１の背面内壁１１との間に下フード２に設けた勘合部１２が引っ掛る空間１３を確保できるよう例えば金具で形成した突起部１４を設けた構成を有する。
【００２３】
なお、固定用ねじ８と固定穴９はねじ以外のラッチなどの取付構造でもよく、突起部１４はＬ字断面の金具にしたという構成にしてもよく、また、突起部１４を、コの字断面の金具にしたという構成にしてもよく、空間１３を上フード１の背面下端に形成するものならどんな形状でもよい。
【００２４】
このような構成によれば、下フード２の勘合部１２を上フード１の背面内壁１１と突起部１４との間に挿入させることとなるので、例えば、掃除や施工の際に上フード１から下フード２を取り外して下フード２を上フード１に取り付ける際に、下フード２を手前側に引っ張りながら止めようとしても、勘合部１２は突起部１４に当たって前後方向の位置が規制されるので、下フード２の固定用ねじ８と上フード１の固定穴９の位置のズレを防止することができる。
【００２５】
また、突起部１４は、下板１８と側板１９で構成し、側板１９は、曲げ部１０側が曲げ部１０とほぼ同じ高さで背面内壁１１へ向かって下板１８方向へ傾斜し、側板１９の背面内壁１１側を立ち上げた構成とした。
【００２６】
このような構成にすることで、上フード１へ下方から下フード２を引っ掛ける際、勘合部１２は曲げ部１０の近傍の側板１９に接触しながら傾斜に沿って空間１３へ案内され、勘合部１２は背面内壁１１と突起部１４の側板１９との間で位置決めする、すなわち、立上部２０に勘合部１２が当たり、下フード２の位置を規制することができる。
【００２７】
よって、下フード２を勘合部１２を基点に上方へ回転させ上フード１へ固定する際、下フード２の固定ねじ８と上フード１の固定穴９の位置があう、すなわち、ずれることがないので、取り付け作業を容易にすることができるとともに、下フード２を上フード１にがたつきなく取り付けることができる。
【産業上の利用可能性】
【００２８】
本発明にかかるレンジフードは、下フードを上フードに取り付ける際に下フードのネジと上フードの固定穴の位置のズレを防止するレンジフード等として有効である。
【００２９】
また、本発明は下フードの固定だけでなく、整流板の固定にも有用である。
【符号の説明】
【００３０】
１    上フード
２    下フード
３    吸込口
４    フィルター
５    ファン
６    モータ
７    アダプター
８    固定用ねじ
９    固定穴
１０  曲げ部
１１  背面内壁
１２  勘合部
１３  空間
１４  突起部
１５  モータ固定用金具
１６  シャフト
１７  排気経路
１８  下板
１９  側板
２０  立上部
【図１】
2013257131.tif 000003
【図２】
2013257131.tif 000004